【手続補正書】
【提出日】平成19年12月5日(2007.12.5)
【手続補正１】
【補正対象書類名】明細書
【補正対象項目名】特許請求の範囲
【補正方法】変更
【補正の内容】
【特許請求の範囲】
【請求項１】
注目領域を含む画像に対して画像処理を行う画像処理装置であって、
画像を予め定められたサイズのタイルに分割する分割手段と、
注目タイルに含まれる前記注目領域の割合に応じた周波数変換を、当該注目タイルに対して行う周波数変換手段と、
前記周波数変換手段で周波数変換された前記注目タイルに含まれる変換係数に対して成分変換を行う成分変換手段と、
前記成分変換手段により成分変換された前記注目タイルに対して前記周波数変換手段とは逆の変換を行う逆周波数変換手段と
を備えることを特徴とする画像処理装置。
【請求項２】
更に画像を撮像する撮像手段を備え、
前記注目領域を含む画像は前記撮像手段により撮像されたものであることを特徴とする請求項１に記載の画像処理装置。
【請求項３】
前記撮像手段は、Ｘ線により被写体の画像を撮像することを特徴とする請求項２に記載の画像処理装置。
【請求項４】
前記周波数変換手段は、
前記注目タイルに含まれる前記注目領域の割合を計算する計算手段と、
夫々異なる周波数変換を行う複数の周波数変換部から、前記計算手段が計算した割合に応じた周波数変換部を選択する選択手段とを備え、
前記選択手段により選択された周波数変換部を用いて前記注目タイルに対して周波数変換を行うことを特徴とする請求項１乃至３のいずれか１項に記載の画像処理装置。
【請求項５】
前記選択手段は、前記注目タイルに含まれる前記注目領域の割合が閾値以上であるか否かに応じて、前記注目タイルに対して周波数変換を行う周波数変換部を前記複数の周波数変換部から選択することを特徴とする請求項４に記載の画像処理装置。
【請求項６】
前記選択手段は、前記注目タイルに含まれる前記注目領域の割合が閾値以上である場合、前記注目タイル内の高周波成分を細かく分離する機能を有する第１の周波数変換部を選択し、
前記注目タイルに含まれる前記注目領域の割合が閾値よりも小さい場合、周波数帯の分離幅が広く、同一次元の分解処理で前記第１の周波数変換部よりも低周波までの分解処理が可能な機能を有する第２の周波数変換部を選択することを特徴とする請求項５に記載の画像処理装置。
【請求項７】
注目領域を含む画像に対して画像処理を行う画像処理装置であって、
画像を予め定められたサイズのタイルに分割する分割手段と、
注目タイルに含まれる前記注目領域の割合に応じた周波数変換の計画に従って、当該注目タイルに対して周波数変換を行う周波数変換手段と、
前記周波数変換手段で周波数変換された前記注目タイルに含まれる変換係数に対して成分変換を行う成分変換手段と、
前記成分変換手段により成分変換された前記注目タイルに対して前記周波数変換手段とは逆の変換を行う逆周波数変換手段と
を備えることを特徴とする画像処理装置。
【請求項８】
注目領域を含む画像に対して画像処理を行う画像処理装置が行う画像処理方法であって、
画像を予め定められたサイズのタイルに分割する分割工程と、
注目タイルに含まれる前記注目領域の割合に応じた周波数変換を、当該注目タイルに対して行う周波数変換工程と、
前記周波数変換工程で周波数変換された前記注目タイルに含まれる変換係数に対して成分変換を行う成分変換工程と、
前記成分変換工程で成分変換された前記注目タイルに対して前記周波数変換工程とは逆の変換を行う逆周波数変換工程と
を備えることを特徴とする画像処理方法。
【請求項９】
注目領域を含む画像に対して画像処理を行う画像処理装置が行う画像処理方法であって、
画像を予め定められたサイズのタイルに分割する分割工程と、
注目タイルに含まれる前記注目領域の割合に応じた周波数変換の計画に従って、当該注目タイルに対して周波数変換を行う周波数変換工程と、
前記周波数変換工程で周波数変換された前記注目タイルに含まれる変換係数に対して成分変換を行う成分変換工程と、
前記成分変換工程で成分変換された前記注目タイルに対して前記周波数変換工程とは逆の変換を行う逆周波数変換工程と
を備えることを特徴とする画像処理方法。
【請求項１０】
コンピュータに請求項１乃至７の何れか１項に記載の画像処理装置が有する各手段として機能させるためのコンピュータプログラムを格納した、コンピュータ読み取り可能な記憶媒体。
【手続補正２】
【補正対象書類名】明細書
【補正対象項目名】０００７
【補正方法】変更
【補正の内容】
【０００７】
即ち、注目領域を含む画像に対して画像処理を行う画像処理装置であって、
画像を予め定められたサイズのタイルに分割する分割手段と、
注目タイルに含まれる前記注目領域の割合に応じた周波数変換を、当該注目タイルに対して行う周波数変換手段と、
前記周波数変換手段で周波数変換された前記注目タイルに含まれる変換係数に対して成分変換を行う成分変換手段と、
前記成分変換手段により成分変換された前記注目タイルに対して前記周波数変換手段とは逆の変換を行う逆周波数変換手段と
を備えることを特徴とする。
【手続補正３】
【補正対象書類名】明細書
【補正対象項目名】０００８
【補正方法】変更
【補正の内容】
【０００８】
本発明の目的を達成するために、例えば、本発明の画像処理装置は以下の構成を備える。
【手続補正４】
【補正対象書類名】明細書
【補正対象項目名】０００９
【補正方法】変更
【補正の内容】
【０００９】
即ち、注目領域を含む画像に対して画像処理を行う画像処理装置であって、
画像を予め定められたサイズのタイルに分割する分割手段と、
注目タイルに含まれる前記注目領域の割合に応じた周波数変換の計画に従って、当該注目タイルに対して周波数変換を行う周波数変換手段と、
前記周波数変換手段で周波数変換された前記注目タイルに含まれる変換係数に対して成分変換を行う成分変換手段と、
前記成分変換手段により成分変換された前記注目タイルに対して前記周波数変換手段とは逆の変換を行う逆周波数変換手段と
を備えることを特徴とする。
【手続補正５】
【補正対象書類名】明細書
【補正対象項目名】００１０
【補正方法】変更
【補正の内容】
【００１０】
本発明の目的を達成するために、例えば、本発明の画像処理方法は以下の構成を備える。
【手続補正６】
【補正対象書類名】明細書
【補正対象項目名】００１１
【補正方法】変更
【補正の内容】
【００１１】
即ち、注目領域を含む画像に対して画像処理を行う画像処理装置が行う画像処理方法であって、
画像を予め定められたサイズのタイルに分割する分割工程と、
注目タイルに含まれる前記注目領域の割合に応じた周波数変換を、当該注目タイルに対して行う周波数変換工程と、
前記周波数変換工程で周波数変換された前記注目タイルに含まれる変換係数に対して成分変換を行う成分変換工程と、
前記成分変換工程で成分変換された前記注目タイルに対して前記周波数変換工程とは逆の変換を行う逆周波数変換工程と
を備えることを特徴とする。
【手続補正７】
【補正対象書類名】明細書
【補正対象項目名】００１２
【補正方法】変更
【補正の内容】
【００１２】
本発明の目的を達成するために、例えば、本発明の画像処理方法は以下の構成を備える。
【手続補正８】
【補正対象書類名】明細書
【補正対象項目名】００１３
【補正方法】変更
【補正の内容】
【００１３】
即ち、注目領域を含む画像に対して画像処理を行う画像処理装置が行う画像処理方法であって、
画像を予め定められたサイズのタイルに分割する分割工程と、
注目タイルに含まれる前記注目領域の割合に応じた周波数変換の計画に従って、当該注目タイルに対して周波数変換を行う周波数変換工程と、
前記周波数変換工程で周波数変換された前記注目タイルに含まれる変換係数に対して成分変換を行う成分変換工程と、
前記成分変換工程で成分変換された前記注目タイルに対して前記周波数変換工程とは逆の変換を行う逆周波数変換工程と
を備えることを特徴とする。